(57)【特許請求の範囲】
【請求項１】
カード状部材が挿入されるカード状部材挿入部が前面に開口されたハウジングと、所定の押し込み位置で前記カード状部材の移動を規制するロック機構とを備え、前記ハウジング内に挿入されるイジェクト操作用部材を動作させることにより前記ロック機構の規制が解除され、前記カード状部材が取出されるようにした取出し機能付きカードコネクタにおいて、
前記カード状部材は、一端が前記ハウジングに固定された復帰バネの他端に当接し、該復帰バネをカード状部材の押し込み動作に伴って圧縮方向に押圧する被付勢部を備え、前記復帰バネにより押し出し方向に付勢されるようにしたことを特徴としてなる取出し機能付きカードコネクタ。
【発明の詳細な説明】
【技術分野】
【０００１】
本発明は、ＩＣカード等のカードを基板に接続するためのカードコネクタであって、カードを簡単な操作で取り出すことのできる取り出し機能付きカードコネクタに関する。
【背景技術】
【０００２】
従来、この種のカードコネクタにおいては、プッシュピンを操作することによりＩＣカード等のカード又はそのカードを収容したカードトレイ等のカード状部材をハウジング内より取り出すことができる取り出し機能付きのものが知られている（例えば、特許文献１）。
【０００３】
この取出し機能付きカードコネクタは、例えば、図６に示すように、ハウジング１００のカード挿抜方向奥側に回動可能に支持された押出アーム１０１を備え、プッシュピン１０２で押出しアーム１０１の一方の端部を押し込むことにより押出アーム１０１を回動させ、アームの他端側１０３でカードトレイ１０４の奥側縁を排出方向に押し出すようになっている。
【先行技術文献】
【特許文献】
【０００４】
【特許文献１】特開平１０−１８９１３９号公報
【発明の概要】
【発明が解決しようとする課題】
【０００５】
しかしながら、上述の如き従来の技術では、押出しアーム及び押出アームを操作するためのプッシュピン等からなる取出し機構を有するため、コネクタ全体の外形、即ち、コネクタが取り付けられる基板に対する専有面積が大きくなり、それに伴い設計の自由度も低下するという問題があった。一方でコネクタの小型化を図るため押出しアームの外形を小さくすると、十分な押出し量をもってカード状部材を排出するのに必要なアームの長さが確保できないという問題があった。
【０００６】
また、カード状部材を押し出す際、操作者の加えた力がプッシュピンを介して押出しアームに伝わるため、操作者が力を入れすぎるとカード状部材が勢いよく飛び出してしまい、カード等の破損を招く虞があるという問題があった。更に、落下等による衝撃によってもトレイ等のカード状部材が抜け出てしまう虞があるという問題があった。
更にまた、取出し機構を有するためにこの種のコネクタでは、部品点数が多くなり、その分コストが嵩むという問題がある。
【０００７】
本発明は、このような従来の問題に鑑み、安定したカード取出し操作を行くことができるとともに小型化を可能とし、且つ安価に製造が可能な取出し機能付きカードコネクタの提供を目的としてなされたものである。
【課題を解決するための手段】
【０００８】
上述の如き従来の問題を解決し、所期の目的を達成するための請求項1に記載の発明の特徴は、カード状部材が挿入されるカード状部材挿入部が前面に開口されたハウジングと、所定の押し込み位置で前記カード状部材の移動を規制するロック機構とを備え、前記ハウジング内に挿入されるイジェクト操作用部材を動作させることにより前記ロック機構の規制が解除され、前記カード状部材が取出されるようにした取出し機能付きカードコネクタにおいて、前記カード状部材は、一端が前記ハウジングに固定された復帰バネの他端に当接し、該復帰バネをカード状部材の押し込み動作に伴って圧縮方向に押圧する被付勢部を備え、前記復帰バネにより押し出し方向に付勢されるようにしたことにある。
【発明の効果】
【０００９】
本発明に係る取出し機能付きカードコネクタは、上述したように、カード状部材が挿入されるカード状部材挿入部が前面に開口されたハウジングと、所定の押し込み位置で前記カード状部材の移動を規制するロック機構とを備え、前記ハウジング内に挿入されるイジェクト操作用部材を動作させることにより前記ロック機構の規制が解除され、前記カード状部材が取出されるようにした取出し機能付きカードコネクタにおいて、前記カード状部材は、一端が前記ハウジングに固定された復帰バネの他端に当接し、該復帰バネをカード状部材の押し込み動作に伴って圧縮方向に押圧する被付勢部を備え、前記復帰バネにより押し出し方向に付勢されるようにしたことにより、少ない部品点数でカードトレイ等のカード状部材をハウジング内に保持することができるとともに安定して取出すことができ、小型化が可能でコストの低減を図ることができる。
【図面の簡単な説明】
【００１０】
【図１】本発明に係る取出し機能付きカードコネクタの一例を示す分解斜視図である。
【図２】（ａ）は図１中のカードトレイを示す平面図、（ｂ）は同底面図、（ｃ）は同Ａ−Ａ線断面図である。
【図３】本発明に係る取出し機能付きカードコネクタのカードトレイの押し出し停止位置における状態を示すシールドケースを取り除いた平面図である。
【図４】本発明に係る取出し機能付きカードコネクタの所定の押し込み位置における状態を示すシールドケースを取り除いた平面図である。
【図５】（ａ）はロック機構によりカードトレイがロックされた状態を示す部分拡大平面図であり、（ｂ）は同ロック機構のロックが解除された状態を示す部分拡大平面図である。
【図６】従来の取出し機能付きカードコネクタの一例を示す部分破断平面図である。
【発明を実施するための形態】
【００１１】
次に、本発明に係るカードコネクタの実施の態様を、図面に示した実施例に基づいて説明する。尚、図中符号ＡはＩＣカード等のカードである。
【００１２】
このカードコネクタは、カードＡを収容したカードトレイ１をハウジング２に挿入することにより、カードＡの片面に配置された端子部３，３...がハウジング２内に支持されたコンタクト４，４...と弾性的に接触し、コンタクト４を介してカードＡをハウジング２が設置された基板に電気的に接続させるようになっている。
【００１３】
カードトレイ１は、図２に示すように、片面側にカードＡが収容されるカード収容凹部５ａを有する平板状の本体部５と、本体部５の挿入方向手前側に配置された前縁露出部６とを有して絶縁性樹脂材により一体に形成されている。
【００１４】
本体部５の側縁奥側部には、被付勢部７が突設されており、この被付勢部７は、カードトレイ１の押し込み動作に伴い、カード状部材の出し入れ方向に向けた復帰バネ８を圧縮方向に押圧するようになっている。また、本体部５の側縁部には、後述するロック部材９と互いに係合する係合突部１０が突設されている。
【００１５】
前縁露出部６は、カードコネクタ１が電気機器に組み込まれた際に機器躯体の外側面に露出するようになっており、カードトレイ１がハウジング２より排出された場合、カードトレイ１が機器躯体の外側面より引き出し状に突出するようになっている。尚、図中符号  １１は、後述する操作用部材１２をガイドするためのガイド孔である。
【００１６】
ハウジング２は、絶縁樹脂材からなるモールドケース１３と、シールドカバー１４とを組み込んで形成され、カードトレイ１が挿入されるカード状部材挿入部１５が出し入れ方向手前面に開口して形成されている。
【００１７】
モールドケース１３は、カード状部材挿入部１５を構成する凹部が上面部に形成され、その側部には、復帰バネ８が収容されるバネ収容部１６が形成されている。また、モールドケース１３には、バネ収容部１６のカードトレイ側に、モールドケース１０を基板に固定するためのホールドダウン１７がインサート成型により一体化されている。
【００１８】
バネ収容部１６は、カードトレイ側が開口され、カードトレイ１の被付勢部７がカードトレイ１の押し込み動作に伴いバネ収容部１６内をカードトレイ１の出し入れ方向で移動できるようになっている。
【００１９】
バネ収容部１６の奥側内側面部には、復帰バネ８の一端が巻き付けられて固定されるバネ固定用凸部１８が突設されている。
【００２０】
ホールドダウン１７には、カードトレイ１の出し入れ方向に向けたバネ規制部１７ａを有し、復帰バネ８は、このバネ収容部１６の内側面とバネ規制部１７ａとに挟まれて伸縮することにより、被付勢部７に対し復帰バネ８の端部が的確に接触できるようになっている。尚、バネ規制部１７ａは、ホールドダウン１７の側縁を上向きに折り曲げた形状に形成され、カードトレイ１の移動を阻害しない高さだけハウジング底面より突出するように形成されている。
【００２１】
また、モールドケース１３の側部には、所定の押し込み位置でカードトレイ１の移動を規制するロック機構を備え、このロック機構は、針金棒状のピンからなる取出し操作用部材１２をカードトレイ１の移動方向に沿って動作させることにより規制が解除できるようになっている。
【００２２】
ロック機構は、カードトレイ１と互いに係合可能なロック部材９を備え、このロック部材９が所定の押し込み位置においてカードトレイ１の側縁部と係合することで所定の押し込み位置においてカードトレイ１の移動を規制することができるようになっている。
【００２３】
ロック部材９は、弾性を有する金属性板材を折り曲げ加工することにより一体に形成され、固定片部２０、弾性バネ片部２１、支持片部２２、係止部２３及び操作用凸部２４をもって構成されている。
【００２４】
固定片部２０は、細長板状に形成され、モールドケース１３の側部に形成された支持台部２５に固定されるようになっている。
【００２５】
弾性バネ片部２１は、固定片部２０の長手方向一方の端部より延長した形状に形成され、固定片部２０を基端として弾性的に回動可能なバネ状をなしている。
【００２６】
支持片部２２は、弾性バネ片部２１の先端側より延長された形状に形成され、この支持片部２２に係止部２３及び操作用凸部２４が支持されている。
【００２７】
係止部２３は、支持片部２２の両側縁よりカードトレイ側に折り曲げたて形成され、この係止部２３は、三角形状に形成され、その奥側縁部２３ａが係合突部１０と互いに係合するようになっている。
【００２８】
操作用凸部２４は、支持片部２２の先端側を山形となるように折り曲げた形状に形成されている。
【００２９】
このように構成された取出し機能付きカードコネクタは、カードトレイ１をハウジング２に挿入すると、カードトレイ１の被付勢部７が復帰バネ８の端部と当接し、復帰バネ８によりカードトレイ１は押し出し方向に付勢される。
【００３０】
この復帰バネ８の付勢力に抗して更にカードトレイ１を押し込むと、図４に示すように所定の押し込み位置において、ロック部材９の係止部２３とカードトレイ１の係合突部１０とが互いに係合され、カードトレイ１の出し入れ方向の移動が規制されるとともに、カードトレイ１がハウジング２内に保持される。
【００３１】
一方、このカードトレイ１を取り出すためには、カードトレイ前縁部のガイド孔１１より針金棒状のイジェクト操作用部材１２をハウジング２内の所定の位置まで挿入し、図５（ａ）に示すように、操作用部材１２の先端部で操作用凸部２４の斜面２４ａを押圧し、更に押すと斜面２４ａによりガイドされて操作用部材１２の外面に操作用凸部２４の頂部２４ｂが接触し、操作用凸部２４に押されて弾性バネ片部２１が外側に押し遣られ、図５（ｂ）に示すように係止部２３がカードトレイ１の係合突部１０より離脱する。
【００３２】
そして、係止部２３が係合突部１０より離脱したことによりカードトレイ１の移動規制が解除され、それと同時に復帰バネ８により付勢されてカードトレイ１は押出し停止位置まで押し出される。
【００３３】
尚、上述の実施例では、カード状部材として内部にカードを収容するカードトレイを用いた例について説明したが、トレイを用いずにカードを直接コネクタに挿入するようにしたものであってもよい。
【００３４】
また、上述の実施例では、カードトレイの側縁部に被付勢部を設けた例について説明したが、カードトレイの奥側縁部を被付勢部としてもよい。
【００３５】
更に、上述に実施例では、ロック機構にロック部材９を用いた例について説明したが、ハートカム式のもの等、カードトレイ等のカード状部材を所定の押し込み位置でその移動を規制することができるものであればよい。
【符号の説明】
【００３６】
Ａ  カード
１  カードトレイ
２  ハウジング
３  端子部
４  コンタクト
５  本体部
６  前縁露出部
７  被付勢部
８  復帰バネ
９  ロック部材
１０  係合突部
１１  ガイド孔
１２  イジェクト操作用部材
１３  モールドケース
１４  シールドカバー
１５  カード状部材挿入部
１６  バネ収容部
１７  ホールドダウン
１８  バネ固定用凸部
２０  固定片部
２１  弾性バネ片部
２２  支持片部
２３  係止部
２４  操作用凸部
２５  支持台部
【図１】
0005126724.tif 000002
【図２】
0005126724.tif 000003
【図３】
0005126724.tif 000004
【図４】
0005126724.tif 000005
【図５】
0005126724.tif 000006
【図６】
0005126724.tif 000007